(57)【要約】【課題】コンテンツ提供者の著作権を保護するようにするコンテンツ提供システムの方法を提供する。【解決手段】インターネットを通するコンテンツ提供システム及び方法に関するものであり、インターネットサーバーからコンテンツを提供されてメモリーカードに貯蔵して、貯蔵されたコンテンツを使用することにおいて、インターネットサーバーはコンテンツ提供時に保安コードを添付して提供し、インターネッサーバーを通して提供されたコンテンツをメモリーカードに貯蔵して使用することで、インターネットサーバーでコンテンツ提供時に添付された保安コードを利用してコンテンツの使用可否を判断するようにした。【選択図】図５
2005025742.tif 000002
【特許請求の範囲】
【請求項１】
学習者の認証作業を遂行して、認証された学習者にコンテンツを送る場合、保安コードをコンテンツに添付して送るインターネットサーバーと、
前記インターネットサーバーに接続を遂行して、保安コード及びコンテンツをダウンロードして、メモリーカードに記録貯蔵する通信端末手段と、
前記コンテンツが貯蔵されたメモリーカードをローディングして、前記メモリーカードに貯蔵された保安コードを利用して前記メモリーカードの使用可能可否を判断するポータブルマルチメディア学習装置とを含むことを特徴とするインターネットを介して行うコンテンツ提供システム。
【請求項２】
前記ポータブルマルチメディア学習装置は、シリアル番号及びコンテンツ識別番号が貯蔵される保安コード貯蔵用メモリー部と、中央処理部とを備え、
前記中央処理部は、
a）前記メモリーカードの認証作業を初めて遂行する場合には、前記メモリーカードに貯蔵された保安コードをデコーディングして、前記保安コード貯蔵用メモリーに貯蔵した後、使用者の選択によって前記メモリーカードに貯蔵されたコンテンツを提供し、
b）前記メモリーカードの認証作業を初めて遂行する場合でなければ、前記メモリーカードに貯蔵された保安コードをデコーディングし、前記保安コード貯蔵用メモリーに貯蔵されたシリアル番号とデコーディングされたシリアル番号とを比較し、
c）前記保安コード貯蔵用メモリーに貯蔵されたシリアル番号とデコーディングされたシリアル番号が同一な場合に、デコーディングされたコンテンツ識別番号と同一なコンテンツ識別番号が前記保安コード貯蔵用メモリーに存在すると、使用者の選択によって前記メモリーカードのコンテンツを提供し、
デコーディングされたコンテンツ識別番号と同一なコンテンツ識別番号が前記保安コード貯蔵用メモリーに存在しなければ、デコーディングされたコンテンツ識別番号を前記保安コード貯蔵用メモリーに貯蔵した後、使用者の選択によって前記メモリーカードのコンテンツを提供し、
d）前記保安コード貯蔵用メモリーに貯蔵されたシリアル番号とデコーディングされたシリアル番号が一致しない場合に、前記メモリーカードを使うことができないことを通報する
ことを特徴とする請求項１記載のインターネットを介して行うコンテンツ提供システム。
【請求項３】
前記保安コードは、前記学習者が購入した前記ポータブルマルチメディア学習装置の製品シリアル番号とダウンロード要請したコンテンツの識別番号をエンコードしたコードであることを特徴とする請求項１記載のインターネットを介して行うコンテンツ提供システム。
【請求項４】
前記保安コードは、前記インターネットサーバーに貯蔵された学習者の会員情報とダウンロード要請したコンテンツの識別番号をエンコードしたコードであることを特徴とする請求項１記載のインターネットを介して行うコンテンツ提供システム。
【請求項５】
前記保安コードは、前記ポータブルマルチメディア学習装置提供者の会社名情報、製品種類の情報及び日付情報の中から少なくとも一つ以上の情報をさらに添付してエンコードすることができるコードであることを特徴とする請求項３、又は４記載のインターネットを介して行うコンテンツ提供システム。
【請求項６】
インターネットサーバーでコンテンツを提供して、ポータブルマルチメディア学習装置で前記コンテンツの認証作業を遂行するインターネットを通するコンテンツ提供システムの方法において、
インターネットサーバーから保安コード及びコンテンツを提供されてメモリーカードに貯蔵する段階と、
前記メモリーカードが初めてローディングされた場合、保安コードを前記ポータブルマルチメディア学習装置のシリアル番号及びコンテンツ識別番号にデコーディングした後に貯蔵する段階と、
前記シリアル番号及びコンテンツ識別番号が貯蔵された状態で前記メモリーカードがローディングされた場合、前記ローディングされたメモリーカードに貯蔵された保安コードをデコーディングした後、貯蔵されたシリアル番号とデコーディングされたシリアル番号比較及びそれぞれのコンテンツ識別番号を比較する段階を含み、
前記貯蔵されたシリアル番号及びコンテンツ識別番号とデコーディングされたシリアル番号及びコンテンツ識別番号が同一な場合、前記ローディングされたメモリーカードを使用が可能であるというメッセージを送る段階と、
前記貯蔵されたシリアル番号とデコーディングされたシリアル番号は同一であるが、デコーディングされたコンテンツ識別番号と同一なコンテンツ識別番号が存在しない場合、デコーディングされたコンテンツ識別番号を貯蔵した後、前記ローディングされたメモリーカードの使用が可能であるというメッセージを送信する段階と、
前記貯蔵されたシリアル番号とデコーディングされたシリアル番号が一致しない場合、前記ローディングされたメモリーカードの使用を不可するメッセージを送る段階とを含むことを特徴とするインターネットを介して行うコンテンツ提供方法。
【請求項７】
前記インターネットサーバーは、前記ポータブルマルチメディア学習装置のシリアル番号とダウンロードされるコンテンツのコンテンツ識別番号を要請する段階と、
入力されたシリアル番号とコンテンツ識別番号をエンコードして保安コードを生成する段階と、
コンテンツ及びエンコードされた保安コードを送る段階とを含むことを特徴とする請求項６記載のインターネットを介して行うコンテンツ提供方法。
【請求項８】
前記保安コードは、前記学習者が購入した前記ポータブルマルチメディア学習装置の製品シリアル番号と、ダウンロード要請したコンテンツの識別番号をエンコードしたコードであることを特徴とする請求項６記載のインターネットを介して行うコンテンツ提供方法。
【請求項９】
前記保安コードは、前記インターネットサーバーに貯蔵された学習者の会員情報と、ダウンロード要請したコンテンツの識別番号をエンコードしたコードであることを特徴とする請求項６記載のインターネットを介して行うコンテンツ提供方法。
【請求項１０】
前記保安コードは、前記ポータブルマルチメディア学習装置提供者の会社名情報、製品種類の情報及び日付情報の中から少なくとも一つ以上の情報をさらに添付してエンコードすることができるコードであることを特徴とする請求項８、又は９記載のインターネットを介して行うコンテンツ提供方法。
【請求項１１】
保安コード及びコンテンツが貯蔵されたメモリーカードの認証作業を遂行するポータブルマルチメディア学習装置のインターネットを通するコンテンツ提供システムの方法において、
前記メモリーカードが初めてローディングされた場合、保安コードを前記ポータブルマルチメディア学習装置のシリアル番号及びコンテンツ識別番号にデコーディングした後に貯蔵する段階と、
前記シリアル番号及びコンテンツ識別番号が貯蔵された状態で前記メモリーカードがローディングされた場合、前記ローディングされたメモリーカードに貯蔵された保安コードをデコーディングした後、貯蔵されたシリアル番号とデコーディングされたシリアル番号比較及びそれぞれのコンテンツ識別番号を比較する段階とを含み、
前記貯蔵されたシリアル番号及びコンテンツ識別番号とデコーディングされたシリアル番号及びコンテンツ識別番号が同一な場合、前記ローディングされたメモリーカードを使用が可能であるというメッセージを送る段階と、
前記貯蔵されたシリアル番号とデコーディングされたシリアル番号は同一であるが、デコーディングされたコンテンツ識別番号と同一なコンテンツ識別番号が存在しない場合、デコーディングされたコンテンツ識別番号を貯蔵した後、前記ローディングされたメモリーカードを使用が可能であるというメッセージを送信する段階と、
前記貯蔵されたシリアル番号とデコーディングされたシリアル番号が一致しない場合、前記ローディングされたメモリーカードの使用を不可するメッセージを送る段階とを含むインターネットを介して行うコンテンツ提供方法。
【請求項１２】
前記保安コードは、前記学習者が購入した前記ポータブルマルチメディア学習装置の製品シリアル番号と、ダウンロード要請したコンテンツの識別番号をエンコードしたコードであることを特徴とする請求項１１記載のインターネットを介して行うコンテンツ提供方法。
【請求項１３】
前記保安コードは、前記インターネットサーバーに貯蔵された学習者の会員情報と、ダウンロード要請したコンテンツの識別番号をエンコードしたコードであることを特徴とする請求項１１記載のインターネットを介して行うコンテンツ提供方法。
【請求項１４】
前記保安コードは、前記ポータブルマルチメディア学習装置提供者の会社名情報、製品種類の情報及び日付情報の中から少なくとも一つ以上の情報をさらに添付してエンコードすることができるコードであることを特徴とする請求項１２、又は１３記載のインターネットを介して行うコンテンツ提供方法。
【発明の詳細な説明】
【技術分野】
【０００１】
本発明は、インターネットを介して行うコンテンツ提供システムに関するものである。
詳細に説明すると、インターネットサーバーからコンテンツをダウンロードする際、そのコンテンツの保安コードを提供して、提供された保安コードによってコンテンツの使用可否を判断するようにしてコンテンツ提供者の著作権を保護するようにするインターネットを介して行うコンテンツ提供システム及び方法を提供するものである。
【背景技術】
【０００２】
一般的なポータブルマルチメディア学習装置（「マルチメディア」は、登録商標、以下同じ）はキー入力機能、画面出力機能及びコンテンツを貯蔵しているデータメモリーを具備している。学習者の選択及び著作者の著作意図によってコンテンツ及び学習過程は多様な形態になり、相互作用が可能なプログラムによって学習者の能動的な学習を誘導する。
また、この時、ポータブルマルチメディア学習装置はデータメモリーの容量の限界を越えて、より多様なコンテンツを学習者に提供し支援するために、着脱可能な貯蔵媒体を通してコンテンツを提供する。
【０００３】
したがって、ポータブルマルチメディア学習装置の学習者は多様なコンテンツの提供を受けるために、コンテンツ提供者が提供するコンテンツが貯蔵された貯蔵媒体を別途に購入したり、コンテンツが提供するインターネットサーバーに接続して学習者が必要とするコンテンツを貯蔵媒体にダウンロードしなければならない。
しかし、このようなインターネットサーバーに接続して行うコンテンツの提供過程において、第３者による不法複製を防止しにくく、コンテンツ提供者の著作権を保護されることが容易でないという問題がある。
なお、本発明に関する特許文献としては、下記のものが挙げられる。
【０００４】
【特許文献１】大韓民国特開２００３−４０３２７号公報
【特許文献２】大韓民国特開２００３−２１７９１号公報
【発明の開示】
【発明が解決しようとする課題】
【０００５】
本発明は前記した問題点を解決するためのものであり、本発明の目的はインターネットサーバーからコンテンツをダウンロードする際、そのコンテンツの保安コードを提供して、提供された保安コードによってコンテンツの使用可否を判断するようにしてコンテンツ提供者の著作権を保護するようにするインターネットを介して行うコンテンツ提供システム及び方法を提供するものである。
【課題を解決するための手段】
【０００６】
前記の目的を達成するために、本発明のインターネットを介して行うコンテンツ提供システムは、学習者が行う認証作業の遂行により、認証された学習者にコンテンツを送る場合において、保安コードをコンテンツに添付して送るインターネットサーバーと、前記インターネットサーバーに接続を遂行して、保安コード及びコンテンツをダウンロードして、メモリーカードに記録貯蔵する通信端末手段と、前記コンテンツが貯蔵されたメモリーカードをローディングして、前記メモリーカードに貯蔵された保安コードを利用して、前記メモリーカードの使用可能可否を判断するポータブルマルチメディア学習装置を含む。
【０００７】
前記の目的を達成するために、本発明のコンテンツ提供システムの方法は、インターネットサーバーから保安コード及びコンテンツの提供を受けてメモリーカードに貯蔵する段階と、前記メモリーカードが初めてローディングされた場合、保安コードを前記ポータブルマルチメディア学習装置のシリアル番号及びコンテンツ識別番号にデコーディングした後に貯蔵する段階と、前記シリアル番号及びコンテンツ識別番号が貯蔵された状態で前記メモリーカードがローディングされた場合、前記ローディングされたメモリーカードに貯蔵された保安コードをデコーディングした後、貯蔵されたシリアル番号とデコーディングされたシリアル番号比較及びそれぞれのコンテンツ識別番号を比較する段階を含むが、前記貯蔵されたシリアル番号及びコンテンツ識別番号とデコーディングされたシリアル番号及びコンテンツ識別番号が同一である場合、前記ローディングされたメモリーカードの使用が可能であるというメッセージを送る段階と、前記貯蔵されたシリアル番号とデコーディングされたシリアル番号は同一であるが、デコーディングされたコンテンツ識別番号と同一なコンテンツ識別番号が存在しない場合、デコーディングされたコンテンツ識別番号を貯蔵した後、前記ローディングされたメモリーカードの使用が可能であるというメッセージを送る段階と、前記貯蔵されたシリアル番号とデコーディングされたシリアル番号が一致しない場合、前記ローディングされたメモリーカードの使用を不可するメッセージを送る段階を含む。
【発明の効果】
【０００８】
上述したように、本発明に係るインターネットを介して行うコンテンツ提供システム及び方法はインターネットサーバーからコンテンツを提供される場合、コンテンツだけではなく保安コードを提供し、メモリーカードに貯蔵されて提供されるコンテンツの使用において、各コンテンツを登録するための保安コードを利用してコンテンツの使用可否を判断することによって、コンテンツ提供者の著作権を保護できるようにするコンテンツ提供システム及び方法を提供するものである。
【発明を実施するための最良の形態】
【０００９】
以下、添付した図面を参照して本発明のインターネットを介して行うコンテンツ提供システム及び方法に対して説明する。
図１は、本発明のインターネットを通するコンテンツ提供システムの望ましい実施例１である。
図１に図示したインターネットを介して行うコンテンツ提供システムは、コンテンツを提供するインターネットサーバー(１)、インターネットサーバー(1)に接続して必要なコンテンツのダウンロードを要請して、ダウンロードされたコンテンツを自分のメモリーに一時貯蔵する通信端末手段(２)、通信端末手段(２)に連結されて通信端末手段(２)のメモリーに一時貯蔵されたコンテンツを着脱可能な貯蔵媒体(４)に記録貯蔵するカードリーダー機(３)、コンテンツが記録貯蔵される着脱可能な貯蔵媒体(４)、着脱可能な貯蔵媒体(４)に貯蔵されたコンテンツを使用者に提供するポータブルマルチメディア学習装置(５)を含む。
【００１０】
この時、着脱可能な貯蔵媒体(４)はメモリーステイック、コンパクトフラッシュ（登録商標）、スマートメディアカード、マルチメディアカードのようにデジタルデータが貯蔵されるメモリーカードを適用してもよい。このメモリーカードは、カードリーダー機(３)にローディングされてコンテンツが記録貯蔵され、ポータブルマルチメディア学習装置(５)にローディングされて、記録したコンテンツをポータブルマルチメディア学習装置(５)に提供する。
【００１１】
以下、着脱可能な貯蔵媒体(４)は、メモリーカード(４)と指称する。
図１によると、インターネットサーバー(１)はコンテンツを提供するコンテンツサーバー(１１)、接続した学習者を登録し、登録された学習者がコンテンツサーバー(１１)に貯蔵されたコンテンツを適法に使用する場合に、学習者に保安コードを提供するライセンスサーバー(１２)を含む。
ライセンスサーバー(１２)は、学習者の会員加入過程を通して学習者の個人情報(アイディー（ＩＤ）、パスワード、学習者の名前など)の提供を受けて、ログイン過程を通して接続要請した学習者の登録を遂行する。
【００１２】
また、登録された学習者から特定コンテンツの要請信号が受信されると、登録された学習者に学習者が持っているポータブルマルチメディア学習装置(５)の製品シリアル番号とダウンロードするコンテンツの識別コードを要求した後、受信し、製品シリアル番号とコンテンツ識別コードを利用して保安コードを生成する。
この時、保安コードのエンコードは、シリアル番号とコンテンツ識別コードを用いてエンコードプロセッサーで行われ、また、保安コードのデコードは、エンコードプロセッサーと同一なアルゴリズムを持つデコーディングプロセッサーのデコーディング過程を通して行われ、再び認識可能なシリアル番号とコンテンツ識別コードに変換される。保安コードに対しては、以下図３でさらに詳しく説明する事にする。
【００１３】
コンテンツサーバー(１１)は多様なコンテンツを貯蔵して、認証された学習者から特定コンテンツ要請信号が受信されると、コンテンツとライセンスサーバー(１２)で生成した保安コードを学習者へ送る。
このようにインターネットサーバー(１)は論理的にコンテンツサーバー(１１)とライセンシングサーバーを含み、物理的には１台のサーバー内に構成も可能であり、性能によって２台、又は、それ以上のサーバーに分離することもできる。
【００１４】
学習者の通信端末手段(２)は一般的にインターネット網の接続が可能なパーソナルコンピューターで、インターネットサーバー(１)に接続して学習者が必要とするコンテンツと保安コードをダウンロードして自分のメモリーに一時貯蔵する。また、カードリーダー機(３)との接続が可能で、カードリーダー機を駆動させて、自分のメモリーに一時貯蔵されたコンテンツと保安コードをメモリーカード(４)に記録貯蔵する。
学習者はコンテンツを提供するインターネットサーバー(１)に接続するために通信端末手段(２)を通して会員加入及びログインを遂行した後、必要なコンテンツを選択して、選択されたコンテンツをダウンロードするため、コンテンツ識別コードと学習者が購入したポータブルマルチメディア学習装置(５)のシリアル番号を入力する。
【００１５】
ここに、通信端末手段(２)は、学習者認証を遂行したインターネットサーバー(１)から送信されるコンテンツと保安コードをダウンロードした後、カードリーダー機(３)の駆動プログラムを動作させてダウンロードされたコンテンツと保安コードをメモリーカード(４)に記録貯蔵する。
ポータブルマルチメディア学習装置(５)は、メモリーカード(４)がローディングされるとローディングされたメモリーカード(４)及び、ここに貯蔵されたコンテンツの使用可能可否を判断するための認証作業を自動で遂行して、該当の貯蔵媒体及び、ここに貯蔵されたコンテンツの認証が成功的に完了したら、使用者の選択によってローディングされたメモリーカード(４)に貯蔵されたコンテンツを提供する。
【００１６】
また、ポータブルマルチメディア学習装置(５)はローディングされたメモリーカード(４)に貯蔵されたコンテンツの認証が失敗したり、メモリーカード(４)がローディングされない場合には、使用者の命令によって選択されたポータブルマルチメディア学習装置(５)の内部プログラムメモリーに貯蔵されたマルチメディアコンテンツのみを提供する。
【００１７】
図２は、本発明に係るポータブルマルチメディア学習装置の実施例１である。
図２に図示したポータブルマルチメディア学習装置(５)は、全般的な制御を遂行する中央処理部(５１)、中央処理部(５１)の制御用運営プログラムとコンテンツを含むマルチメディアコンテンツを解釈して処理するプログラムを貯蔵するプログラムメモリー(５２)、自分のシリアル番号とコンテンツ識別番号を貯蔵する保安コード貯蔵用メモリー(５３)、メモリーカード(４)をローディングするための拡張用スロット(５４)、使用者の命令を入力する操作部(５５)及び、処理されたマルチメディアコンテンツを出力するディスプレー部及びオーディオ出力装置を含む出力部(５６)を具備する。
【００１８】
このように構成されたポータブルマルチメディア学習装置(５)は製品生産時、保安コード貯蔵用メモリー(５３)に製品シリアル番号が入力される場合と、製品シリアル番号が入力されない場合に分けられる。
ポータブルマルチメディア学習装置(５)で初めて認証作業を遂行する場合、製品シリアル番号の貯蔵有無によって次のように動作が変わる。
保安コード貯蔵用メモリー(５３)に製品シリアル番号が入力されないポータブルマルチメディア学習装置(５)は、拡張用スロット(５４)にメモリーカード(４)が初めてローディングされる時、中央処理部(５１)はローディングされたメモリーカード(４)の保安コードをデコーディングしてシリアル番号とコンテンツ識別コードへの変換を遂行して、これを自分の保安コード貯蔵用メモリー(５３)に貯蔵する。この時からポータブルマルチメディア学習装置(５)が認識する自分の製品シリアル番号はデコーディングされたシリアル番号になる。
【００１９】
そして、保安コード貯蔵用メモリー(５３)に製品シリアル番号が入力されているポータブルマルチメディア学習装置(５)は、拡張用スロット(５４)にメモリーカード(４)が初めてローディングされる時、中央処理部(５１)はローディングされたメモリーカード(４)の保安コードをデコーディングしてシリアル番号とコンテンツ識別コードへの変換を遂行した後、保安コード貯蔵用メモリー(５３)に貯蔵されているこれをシリアル番号とデコーディングされたシリアル番号と比較した後、一致する場合にだけデコーディングされたコンテンツ識別コードを保安コード貯蔵用メモリー(５３)に貯蔵する。
【００２０】
このように認証作業を遂行したポータブルマルチメディア学習装置(５)の中央処理部(５１)は、今後にメモリーカード(４)がローディングされる度にローディングされたメモリーカード(４)のエンコードされた保安コードをデコーディングした後、初めて認証作業の際に貯蔵されたシリアル番号とデコーディングされたシリアル番号比較及びそれぞれのコンテンツ識別コードを比べてメモリーカード(５)の使用可能可否を判断する。
【００２１】
また中央処理部(５１)は拡張用スロット(５４)にローディングされたメモリーカード(４)に貯蔵されたコンテンツの登録が失敗したりメモリーカード(４)が拡張用スロット(５４)にローディングされない場合には、使用者の選択によってポータブルマルチメディア学習装置(５)の内部プログラムメモリーに貯蔵されたマルチメディアコンテンツのみを提供する。
【００２２】
図３は、本発明に係る保安コードの望ましい実施例１を図示した図面である。
図３のシリアル番号は、ポータブルマルチメディア学習装置(５)の製品生産時に設定された番号で、すべてのポータブルマルチメディア学習装置(５)はそれぞれが固有した番号を持つ。
コンテンツ識別番号は、コンテンツ提供者とポータブルマルチメディア学習装置(５)の提供者の合議の下に各コンテンツごとに独立的な値を持つようになる。
【００２３】
コンテンツ識別番号を例えば、
１)英会話：Aa１
２)TOEIC：Aa２
３)日本語：Bb１
４)中国語：Cc１
のような多様なコンテンツ識別番号を持つ。
【００２４】
このようなシリアル番号とコンテンツ識別番号はインターネットサーバー(１)のエンコード過程を通して図３の符号４３のように保安コードに変換されてメモリーカード(４)に貯蔵される。
メモリーカード(４)に貯蔵された保安コードはポータブルマルチメディア学習装置(５)のデコーディング過程を通して図３の符号４４のようにシリアル番号とコンテンツ識別番号にまた変換される。
【００２５】
以下では、本発明のコンテンツ提供システムの方法をより詳しく説明する。図４を用いてインターネットを介して行うコンテンツ提供方法を、図５及び図６を用いてポータブルマルチメディア学習装置を通して遂行される認証方法とに分けて説明する事にする。
図５は製品シリアル番号が貯蔵されて発売開始された場合のポータブルマルチメディア学習装置(５)の認証方法を説明するための図であり、図６は製品シリアル番号が貯蔵されないまま発売開始されたポータブルマルチメディア学習装置(５)を通して遂行される認証方法を説明するための図である。
【００２６】
図４は、本発明のインターネットを介して行うコンテンツ提供システムにおいて、インターネットを介して行うコンテンツ提供方法を説明するためのフローチャートである。
学習者は通信端末手段(２)を通して、コンテンツを提供するインターネットサーバー(１)に会員加入及びログインを遂行し、ライセンスサーバー(１)に接続を要請する(段階S１)。
ライセンスサーバー(１)は会員加入及びログイン過程を通して、受信された情報を通して学習者認証を遂行し、学習者認証が成功的に完了した学習者に対して、インターネットサーバー(１)の接続を許容する(段階S２)。
【００２７】
学習者はコンテンツサーバー(１)が提供するさまざまなコンテンツの中から必要なコンテンツを選択して、選択したコンテンツをダウンロードするために学習者が持っているポータブルマルチメディア学習装置(５)の製品シリアル番号とコンテンツの識別コードを入力する(段階S３)。
ライセンスサーバー(１)は受信されたポータブルマルチメディア学習装置(５)のシリアル番号とコンテンツの識別コードをエンコードして保安コードを生成する(段階S４)。
【００２８】
コンテンツサーバー(1)はコンテンツにエンコードされた保安コードを添付して、接続された通信端末手段(２)に送る(段階S５)。
保安コードが添付された特定コンテンツをダウンロードした通信端末手段(２)は、カードリーダー機(３)を駆動させてダウンロードした保安コード及びコンテンツをメモリーカード(４)に記録貯蔵する(段階S６)。
図５は、本発明のポータブルマルチメディア学習装置を通して遂行される認証方法の実施例１を説明するためのフローチャートである。
【００２９】
なお、図５において、ポータブルマルチメディア学習装置(５)は、製品シリアル番号がすでに保安コード貯蔵用メモリー(５３)に貯蔵されている場合である。
ポータブルマルチメディア学習装置(５)は拡張スロットにメモリーカード(４)がローディングされると、メモリーカード(４)の保安コードをデコーディングしてシリアル番号とコンテンツ識別コードに変換する(段階S１１)。
ポータブルマルチメディア学習装置(５)は、段階S１１で変換されたシリアル番号と保安コード貯蔵用メモリー(５３)に貯蔵されたシリアル番号を比較する(段階S１２)。
【００３０】
段階S１２の比較結果、変換されたシリアル番号と保安コード貯蔵用メモリー(５３)に貯蔵されたシリアル番号が同一である場合、ポータブルマルチメディア学習装置(５)で使用可能なメモリーカード(４)であることを確認して、保安コード貯蔵用メモリー(５３)に変換されたコンテンツ識別コードと同一な値を持つコンテンツ識別コードが存在するのか判断する(段階S１３)。
段階S１３の判断の結果、変換されたコンテンツ識別コードと同一な値を持つコンテンツ識別コードが保安コード貯蔵用メモリー(５３)に存在しない場合、登録されないコンテンツが貯蔵されたメモリーカード(４)がローディングされたと判断して、段階S１１で変換されたコンテンツ識別コードを保安コード貯蔵用メモリー(５３)に貯蔵する(段階S１４)。
【００３１】
段階S１３の判断の結果、変換されたコンテンツ識別コードと同一な値を持つコンテンツ識別コードが存在する場合、該当ポータブルマルチメディア学習装置(５)に登録されたコンテンツを貯蔵したメモリーカード(４)であることを確認した後、使用者の選択によってメモリーカード(４)に貯蔵されたコンテンツを提供する(段階S１５)。
【００３２】
段階S１２の比較の結果、変換されたシリアル番号と保安コード貯蔵用メモリー(５３)に貯蔵されたシリアル番号が一致しない場合、他のポータブルマルチメディア学習装置(５)のためのコンテンツがダウンロードされたメモリーカード(４)や第３者によって不法コピーされたコンテンツと判断し、該当ポータブルマルチメディア学習装置(５)で使うことができないメモリーカード(４)であることを知らせる(段階S１６)。
【００３３】
図６は、本発明のポータブルマルチメディア学習装置を通して遂行される認証方法の他の実施例を説明するためのフローチャートである。
なお、図６において、ポータブルマルチメディア学習装置(５)は、製品シリアル番号が保安コード貯蔵用メモリー(５３)に貯蔵されない場合である。
ポータブルマルチメディア学習装置(５)は、拡張スロットにメモリーカード(４)をローディングされたことが感知されるとメモリーカード(４)の保安コードをデコーディングしてシリアル番号とコンテンツ識別コードに変換する(段階S２１)。
ポータブルマルチメディア学習装置(５)は、保安コード貯蔵用メモリー(５３)をリーディングして貯蔵されたシリアル番号及びコンテンツ識別番号が存在するのか判断する(段階S２２)。
【００３４】
段階S２２の判断の結果、保安コード貯蔵用メモリー(５３)に貯蔵されたシリアル番号及びコンテンツ識別番号が存在しない場合、ポータブルマルチメディア学習装置(５)で初めて認証作業が遂行されたと判断して、段階S２１を通して変換されたシリアル番号とコンテンツ識別コードを保安コード貯蔵用メモリー(５３)に貯蔵し、ポータブルマルチメディア学習装置(５)に該当のメモリーカード(４)を登録する(段階S２３)。
この時からポータブルマルチメディア学習装置(５)の製品シリアル番号は、保安コード貯蔵用メモリー(５３)に貯蔵されたデコーディングされたシリアル番号になる。
【００３５】
段階S２３でシリアル番号とコンテンツ識別コードが成功的に保安コード貯蔵用メモリー(５３)に貯蔵されると、使用者の選択によってメモリーカード(４)に貯蔵されたコンテンツを提供する(段階S２４)。
段階S２２の判断の結果、保安コード貯蔵用メモリー(５３)に貯蔵されたシリアル番号及びコンテンツ識別番号が存在する場合、認証作業をすでに遂行したことがあるポータブルマルチメディア学習装置(５)であると判断して、変換されたシリアル番号と保安コード貯蔵用メモリー(５３)に貯蔵されたシリアル番号を比較する(段階S２５)。
【００３６】
段階S２５の比較の結果、変換されたシリアル番号と保安コード貯蔵用メモリー(５３)に貯蔵されたシリアル番号が同一である場合、変換されたコンテンツ識別コードと保安コード貯蔵用メモリー(５３)に貯蔵されたコンテンツ識別コードを比較する(段階S２６)。
段階S２６の比較の結果、変換されたコンテンツ識別コードと同一な値を持つコンテンツ識別コードが存在しない場合、登録されないコンテンツが貯蔵されたメモリーカード(４)がローディングされたと判断して、段階S２１でて変換されたコンテンツ識別コードを保安コード貯蔵用メモリー(５３)に貯蔵する(段階S２７)。
【００３７】
段階S２６の比較の結果、変換されたコンテンツ識別コードと同一な値を持つコンテンツ識別コードが存在する場合、該当ポータブルマルチメディア学習装置(５)で登録されたコンテンツが貯蔵されたメモリーカード(４)であることを確認して、使用者の選択によってメモリーカード(４)に貯蔵されたコンテンツを提供する(段階S２８)。
【００３８】
段階S２５の比較の結果、変換されたシリアル番号と保安コード貯蔵用メモリー(５３)に貯蔵されたシリアル番号が一致しない場合、他のポータブルマルチメディア学習装置のためのコンテンツがダウンロードされたメモリーカード(４)や第３者によって不法コピーされたコンテンツで判断して該当ポータブルマルチメディア学習装置(５)では使うことができないメモリーカード(４)であることを知らせる(段階S２９)。
【００３９】
このような図５及び図６のポータブルマルチメディア学習装置を通して遂行される認証方法は、コンテンツの使用時、メモリーカードに貯蔵された保安コードを利用してメモリーカードに貯蔵されたシリアル番号とポータブルマルチメディア学習装置のシリアル番号が一致する場合にだけメモリーカードに貯蔵されたコンテンツを使うようにする。
【００４０】
本発明のコンテンツ提供システムの方法は、ポータブルマルチメディア学習装置でだけでなくコンピューター、または、インターネットでダウンロードされたコンテンツ(または、ソフトウェア)を使用する全製品の保安体系適用が可能である。
この時の保安コードは多様な製品の特性を支援するために提供供給者の会社名情報、製品種類の情報、及び日付情報の中から少なくとも一つの情報をさらに添付してエンコードされたコードとすることもできる。
【００４１】
また、本発明では製品シリアル番号を基準として保安コードを構成したが、本発明と同一な方法を適用してインターネットに加入された会員の情報(会員アイディー)を基準として保安コードを構成することができる。
以上では、本発明の実施例を図面を参照して詳しく説明したが、本発明は前記した実施例に限定されず、以下の請求範囲で請求する本発明の要旨を脱することがなしに、本発明の分野で通常の知識を持った者なら誰でも多様な変形実施が可能であることは勿論であり、そのような変形は請求範囲の記載内にあるようになる。
【図面の簡単な説明】
【００４２】
【図１】本発明のインターネットを介して行うコンテンツ提供システムの実施例１である。
【図２】本発明のポータブルマルチメディア学習装置の実施例１である。
【図３】本発明の保安コードの実施例１を図示した図面である。
【図４】本発明のコンテンツダウンロード方法を説明するためのフローチャートである。
【図５】本発明のポータブルマルチメディア学習装置のコンテンツ登録方法の実施例１を説明するためのフローチャートである。
【図６】本発明のポータブルマルチメディア学習装置のコンテンツ登録方法の他の実施例を説明するためのフローチャートである。
【図１】
2005025742.tif 000003
【図２】
2005025742.tif 000004
【図３】
2005025742.tif 000005
【図４】
2005025742.tif 000006
【図５】
2005025742.tif 000007
【図６】
2005025742.tif 000008